(57)【特許請求の範囲】
【請求項１】
第１吸込口と第２吸込口とを有するケーシングと、
前記ケーシング内に配置される空気清浄フィルタと、
前記第１吸込口および前記第２吸込口と連通し、前記空気清浄フィルタに対して空気を送風する送風室とを備え、
前記送風室には、
第１吸込面と第２吸込面とを有する送風ファンと、
前記第１吸込口から前記第１吸込面に向かって流れる空気が通過する第１空間と、前記第２吸込口から前記第２吸込面に向かって流れる空気が通過する第２空間とを仕切る仕切部材とが配置され、
前記送風室は、平面視で矩形状であって、
前記第１吸込口が、前記送風室の周囲において、前記第２吸込口が形成された面と対向する面に形成された吸込口を有し、
前記第１吸込面が前記第１吸込口と対向するように配置され、前記第２吸込面が前記第２吸込口と対向するように配置されると共に、
前記第１吸込口から前記第１吸込面までの距離と、前記第２吸込口から前記第２吸込面までの距離とは異なり、
前記送風室には、活性種を発生する活性種発生装置と、電装品とが配置されており、
前記活性種発生装置もしくは前記電装品の一方が前記第１空間に配置され、他方が前記第２空間に配置されることを特徴とする空気清浄機。
【請求項２】
第１吸込口と第２吸込口とを有するケーシングと、
前記ケーシング内に配置される空気清浄フィルタと、
前記第１吸込口および前記第２吸込口と連通し、前記空気清浄フィルタに対して空気を送風する送風室とを備え、
前記送風室には、
第１吸込面と第２吸込面とを有する送風ファンと、
前記第１吸込口から前記第１吸込面に向かって流れる空気が通過する第１空間と、前記第２吸込口から前記第２吸込面に向かって流れる空気が通過する第２空間とを仕切る仕切部材とが配置され、
前記送風室には、活性種を発生する活性種発生装置と、電装品とが配置されており、
前記活性種発生装置もしくは前記電装品の一方が前記第１空間に配置され、他方が前記第２空間に配置されることを特徴とする空気清浄機。
【請求項３】
前記送風室は、平面視で矩形状であって、
前記第１吸込口および前記第２吸込口のいずれかが、前記送風室の周囲において前記第１吸込面および前記第２吸込面と対向しない面に形成された吸込口を有していることを特徴とする請求項１又は２に記載の空気清浄機。
【請求項４】
空気を加湿する加湿室を備え、
前記活性種発生装置には、前記加湿室を通過する前の空気が供給されることを特徴とする請求項１から３のいずれかに記載の空気清浄機。
【請求項５】
空気を加湿する加湿室は、前記送風室より上方に配置されており、
前記送風室において前記送風ファンを駆動するモータと、前記加湿室に配置された水タンクとは、平面視において離れて配置されることを特徴とする請求項１−４のいずれかに記載の空気清浄機。
【請求項６】
前記水タンクは、前記加湿室の側面から取出し可能に構成されることを特徴とする請求項５に記載の空気清浄機。
【発明の詳細な説明】
【技術分野】
【０００１】
本発明は、空気清浄機に関する。
【背景技術】
【０００２】
従来の加湿器には、吸込口を有するケーシングと、ケーシング内に配置されたダブルシロッコファンとを備えるものがある。ダブルシロッコファンは、左吸込面と右吸込面との２つの吸込面を有している。この加湿器では、ケーシングの吸込口とファンの左吸込面との間の距離と、ケーシングの吸込口とファンの右吸込面との間の距離とが異なっており、ケーシングの吸込口からのファンの左吸込面、右吸込面に対する左右の通風抵抗が異なっている。
【先行技術文献】
【特許文献】
【０００３】
【特許文献１】特開２００９−２９３８３０
【発明の概要】
【発明が解決しようとする課題】
【０００４】
従来の空気清浄機には、特許文献１の加湿器と同様に、ケーシング内に配置されたダブルシロッコファンを備えるものがある。この空気清浄機として、ケーシングが左吸込口および右吸込口を有しており、ケーシング内に配置された空気清浄フィルタを備えるものがあって、ダブルシロッコファンによって、左吸込口および右吸込口からそれぞれ空気が吸い込まれて、その空気が空気清浄フィルタに供給される。この空気清浄機において、ダブルシロッコファンが、ケーシング内に配置されるときに、左吸込口と右吸込口に対して等間隔に配置されないで、左吸込口および右吸込口のいずれかに近接するように偏って配置されることがある。この場合、ケーシングの左吸込口とファンの左吸込面との間の距離と、ケーシングの右吸込口とファンの右吸込面との間の距離とが異なるので、ケーシングの２つの吸込口のうちで送風ファンの吸込面に近い側の吸込口から多くの空気が吸い込まれ、他方の吸込口から吸い込まれる空気量が少なくなる。空気清浄機では、ケーシング内に配置された埃センサによって、吸い込まれた空気に含まれる埃の量を検出して、その埃の量に基づいて、送風ファンが制御されることが多いが、埃センサが吸い込まれる空気量が少ない吸込口側に配置される場合、埃センサによって埃の量を適正に検出できない問題がある。この問題は、ダブルシロッコファンが左吸込口および右吸込口のいずれかに近接するように偏って配置される場合だけでなく、その他、例えば左右の通風抵抗が異なる場合などにおいて問題となる。
【０００５】
そこで、本発明の目的は、送風室におけるファンの第１吸込面側の空間と第２吸込面側の空間にそれぞれ吸い込まれる空気量を略均等にできる空気清浄機を提供することである。
【課題を解決するための手段】
【０００６】
第１の発明にかかる空気清浄機は、第１吸込口と第２吸込口とを有するケーシングと、
前記ケーシング内に配置される空気清浄フィルタと、
前記第１吸込口および前記第２吸込口と連通し、前記空気清浄フィルタに対して空気を送風する送風室とを備え、
前記送風室には、
第１吸込面と第２吸込面とを有する送風ファンと、
前記第１吸込口から前記第１吸込面に向かって流れる空気が通過する第１空間と、前記第２吸込口から前記第２吸込面に向かって流れる空気が通過する第２空間とを仕切る仕切部材とが配置され、
前記送風室は、平面視で矩形状であって、
前記第１吸込口が、前記送風室の周囲において、前記第２吸込口が形成された面と対向する面に形成された吸込口を有し、
前記第１吸込面が前記第１吸込口と対向するように配置され、前記第２吸込面が前記第２吸込口と対向するように配置されると共に、
前記第１吸込口から前記第１吸込面までの距離と、前記第２吸込口から前記第２吸込面までの距離とは異なり、
前記送風室には、活性種を発生する活性種発生装置と、電装品とが配置されており、
前記活性種発生装置もしくは前記電装品の一方が前記第１空間に配置され、他方が前記第２空間に配置される。
【０００７】
この空気清浄機では、送風室において、ケーシングの第１吸込口から送風ファンの第１吸込面に向かって流れる空気が通過する第１空間と、ケーシングの第２吸込口から送風ファンの第２吸込面に向かって流れる空気が通過する第２空間とが仕切られているので、送風室におけるファンの第１吸込面側の空間と第２吸込面側の空間にそれぞれ吸い込まれる空気量を略均等にできる。
【０００９】
この空気清浄機では、送風室の周囲において、対向する面に形成された第１吸込口および第２吸込口から空気をそれぞれ吸い込むことができる。
【００１１】
この空気清浄機では、ケーシングの左吸込口から送風ファンの左吸込面までの距離と、ケーシングの右吸込口から送風ファンの右吸込面までの距離とが異なることによって、左右の通風抵抗が異なる場合において、ケーシングの左吸込口および右吸込口からそれぞれ吸い込まれる空気量を略均等にできる。
【００１２】
第２の発明にかかる空気清浄機は、第１吸込口と第２吸込口とを有するケーシングと、
前記ケーシング内に配置される空気清浄フィルタと、
前記第１吸込口および前記第２吸込口と連通し、前記空気清浄フィルタに対して空気を送風する送風室とを備え、
前記送風室には、
第１吸込面と第２吸込面とを有する送風ファンと、
前記第１吸込口から前記第１吸込面に向かって流れる空気が通過する第１空間と、前記第２吸込口から前記第２吸込面に向かって流れる空気が通過する第２空間とを仕切る仕切部材とが配置され、
前記送風室には、活性種を発生する活性種発生装置と、電装品とが配置されており、
前記活性種発生装置もしくは前記電装品の一方が前記第１空間に配置され、他方が前記第２空間に配置される。
第３の発明にかかる空気清浄機は、前記送風室は、平面視で矩形状であって、
前記第１吸込口および前記第２吸込口のいずれかが、前記送風室の周囲において前記第１吸込面および前記第２吸込面と対向しない面に形成された吸込口を有している。
【００１３】
この空気清浄機では、送風室の周囲において、第１吸込面および前記第２吸込面と対向しない面に形成された吸込口を第１空間および／または第２空間に連通させることによって、通風抵抗を調整できる。
【００１５】
この空気清浄機では、送風室において、活性種発生装置が配置された空間と電装品が配置された空間とが仕切られており、活性種発生装置によって発生した活性種が電装品に流れないので、電装品が錆びるのを防止できる。
【００１６】
第４の発明にかかる空気清浄機は、空気を加湿する加湿室を備え、前記活性種発生装置には、前記加湿室を通過する前の空気が供給されることを特徴とする
【００１７】
この空気清浄機では、活性種発生装置に加湿室を通過する前の空気が供給されるので、活性種発生装置を通過する空気が、活性種を適正に含むようにできる。
【００１８】
第５の発明にかかる空気清浄機は、前記加湿室は、前記送風室より上方に配置されており、前記送風室において前記送風ファンを駆動するモータと、前記加湿室に配置された水タンクとは、左右方向について離れて配置されることを特徴とする。
【００１９】
この空気清浄機では、送風室において送風ファンを駆動するモータと、加湿室に配置された水タンクとが左右方向について離れて配置されるので、空気清浄機のバランスをとることができる。
【００２０】
第６の発明にかかる空気清浄機は、第５の発明にかかる空気清浄機において、前記水タンクは、前記加湿室の右側面から取出し可能に構成されることを特徴とする。
【００２１】
この空気清浄機では、水タンクを加湿室の右側面から容易に取出すことができる。
【発明の効果】
【００２２】
以上の説明に述べたように、本発明によれば、以下の効果が得られる。
第１の発明では、送風室において、ケーシングの第１吸込口から送風ファンの第１吸込面に向かって流れる空気が通過する第１空間と、ケーシングの第２吸込口から送風ファンの第２吸込面に向かって流れる空気が通過する第２空間とが仕切られているので、送風室におけるファンの第１吸込面側の空間と第２吸込面側の空間にそれぞれ吸い込まれる空気量を略均等にできる。
【００２３】
第１の発明では、送風室の周囲において、対向する面に形成された第１吸込口および第２吸込口から空気をそれぞれ吸い込むことができる。
【００２４】
第１の発明では、ケーシングの左吸込口から送風ファンの左吸込面までの距離と、ケーシングの右吸込口から送風ファンの右吸込面までの距離とが異なることによって、左右の通風抵抗が異なる場合において、ケーシングの左吸込口および右吸込口からそれぞれ吸い込まれる空気量を略均等にできる。
【００２５】
第３の発明では、送風室の周囲において、第１吸込面および前記第２吸込面と対向しない面に形成された吸込口を第１空間および／または第２空間に連通させることによって、通風抵抗を調整できる。
【００２６】
第１および第２の発明では、送風室において、活性種発生装置が配置された空間と電装品が配置された空間とが仕切られており、活性種発生装置によって発生した活性種が電装品に流れないので、電装品が錆びるのを防止できる。第４の発明では、活性種発生装置に加湿室を通過する前の空気が供給されるので、活性種発生装置を通過する空気が、活性種を適正に含むようにできる。
【００２７】
第５の発明では、送風室において送風ファンを駆動するモータと、加湿室に配置された水タンクとが左右方向について離れて配置されるので、空気清浄機のバランスをとることができる。
第６の発明では、水タンクを加湿室の右側面から容易に取出すことができる。
【図面の簡単な説明】
【００２８】
【図１】本発明の第１実施形態にかかる空気清浄機の概略を示す斜視図である。
【図２】（ａ）は、空気清浄機の平面図であり、（ｂ）は、空気清浄機の左側面図であり、（ｃ）空気清浄機の正面図であり、（ｄ）は、空気清浄機の右側面図である。
【図３】空気清浄機の縦断面図である。
【図４】空気清浄機を左側面から見たときの内部構成を示す図である。
【図５】空気清浄機を右側面から見たときの内部構成を示す図である。
【図６】本発明と比較例の空気清浄機の空気の流れを示す概略図である。
【図７】本発明の第２実施形態にかかる空気清浄機の正面図である。
【図８】本発明の第２実施形態にかかる空気清浄機の空気の流れを示す概略図である。
【図９】本発明の第１実施形態の変形例にかかる空気清浄機の概略を示す斜視図である。
【発明を実施するための形態】
【００２９】
以下、図面を参照しつつ、本発明の実施形態について説明する。
【００３０】
（第１実施形態）
［空気清浄機の全体構成］
図１に示すように、本実施形態の空気清浄機１は、四角柱状の装置であって、その外周面がケーシング１ａ（図２参照）によって覆われている。この空気清浄機１は、加湿機能と空気清浄機能とを有し、ユーザは、空気清浄機能だけを選択することができるが、加湿機能を選択した時は空気清浄機能が伴う。なお、図１では、内部構成が見えるようにケーシング１ａ（鉛直４側面）を外した状態で図示している。
【００３１】
空気清浄機１は、送風室２、空気清浄室３、加湿室４を有しており、それらは下方から上方に向かって送風室２、空気清浄室３、加湿室４の順に並んでいる。つまり、空気清浄機１は、縦に延びる形状となるので、設置面積が小さくなる。送風室２は、空気清浄室３の空気清浄フィルタ３０に対して空気を送風する。空気清浄室３は、室内空気に含まれる塵埃等を除去して空気を清浄する。加湿室４は、室内空気を加湿する。
【００３２】
送風室２には、送風ファン２０が配置される。空気清浄室３には、空気清浄フィルタ３０が配置される。加湿室４には、加湿ユニット５０が配置される。つまり、メンテナンスを要する加湿ユニット５０が上に位置するので、メンテナンス作業が容易になる。なお、加湿ユニット５０は、右側面１２の上方に設けられた側方扉１２ｂ（図２参照）から水平方向に取出し可能となっている。
【００３３】
図２に示すように、ケーシング１ａの前面パネル１０は、前面吸込口１０ａを有する。この前面吸込口１０ａは、前面パネル１０の下方に設けられ、送風室２に連通し、送風室２の周囲において、左吸込面２０ａおよび前記第２吸込面と対向しない面に形成される。ケーシング１ａの左側面パネル１１は、左吸込口１１ａを有する。ケーシング１ａの右側面パネル１２は、右吸込口１２ａを有する。左吸込口１１ａおよび右吸込口１２ａは、送風室２に連通している。このように、送風室２は、平面視で矩形状であって、左吸込口１１ａと右吸込口１２ａは、それぞれ、送風室２の周囲において対向する面に形成される。したがって、左吸込口１１ａが、送風室の周囲において、第２吸込口が形成された面と対向する面に形成された吸込口を有している。ファン２０の左吸込面２０ａが左吸込口１１ａと対向するように配置され、右吸込面２０ｂが右吸込口１２ａと対向するように配置される。このとき、左吸込口１１ａから左吸込面２０ａまでの距離は、右吸込口１２ａから右吸込面２０ｂまでの距離より長い。ケーシング１の天面パネル１３は、天面吹出口１３ａを有する。天面吹出口１３ａは、天面パネル１３の略全域に設けられている。
【００３４】
この空気清浄機１では、送風ファン２０が駆動されることによって、前面吸込口１０ａ、左吸込口１１ａ、及び右吸込口１２ａから送風室２に室内空気が吸い込まれる。そして、図３の実線矢印で示すように、送風室２に吸い込まれた空気は、送風ファン２０、空気清浄フィルタ３０、加湿フィルタ５１の順にこれらを通過して、天面吹出口１３ａから吹き出される。
【００３５】
図２に示すように、前面吸込口１０ａは、前面パネル１０の幅方向に沿って延びた幅広の吸込口であり、前面パネル１０の下方（下端近傍）に設けられる。したがって、前面吸込口１０ａからは、前面パネル１０の前方の床面付近に浮遊した塵埃・花粉等が吸い込まれる。図４および図５に示すように、前面吸込口１０ａの近傍には、プレフィルタ１０ｂが配置される。このプレフィルタ１０ｂは、略水平に配置され、大きな塵埃を捕集する。
【００３６】
左吸込口１１ａおよび右吸込口１２ａは、それぞれ左側面パネル１１および右側面パネル１２の幅方向略全域、かつ左側面パネル１１および右側面パネル１２の下方に設けられた吸込口である。詳しくは、左吸込口１１ａおよび右吸込口１２ａは、左側面パネル１１および右側面パネル１２の上下方向中央よりも下方に設けられる。したがって、上下方向について、天面吹出口１３ａは、左吸込口１１ａ、右吸込口１２ａ及び前面吸込口１０ａと離れて配置される。左吸込口１１ａの近傍および右吸込口１２ａの近傍には、それぞれ、図示しないプレフィルタが配置される。このプレフィルタは、それぞれ、左吸込口１１ａおよび右吸込口１２ａを覆うように、上下方向に沿って配置され、大きな塵埃を捕集する。
【００３７】
図３に示すように、空気清浄室３に配置された空気清浄フィルタ３０は、集塵フィルタ３１と、脱臭フィルタ３２とを有している。集塵フィルタ３１および脱臭フィルタ３２は、送風室２と加湿室４との間において略水平に配置されており、脱臭フィルタ３２が集塵フィルタ３１よりも上方に配置されている。この空気清浄フィルタ３０では、まず、集塵フィルタ３１によって微細な塵埃が取り除かれる。集塵フィルタ３１を通過した空気は、活性炭などを含む脱臭フィルタ３２によってホルムアルデヒドや臭い成分などが吸着され、或いは分解される。
【００３８】
加湿室４に配置される加湿ユニット５０は、空気に水分を供給して空気を加湿する加湿フィルタ５１と、加湿フィルタ５１に供給する水を貯留する水トレー５２と、水トレー５２に供給する水が貯留される水タンク５３とを有している。この加湿室４は、空気清浄室３と天面吹出口１３ａとの間に配置される。図３に示すように、水タンク５３は、正面から見て加湿室４の右側（幅）方向中央より右側）の空間に配置される。
【００３９】
送風室２は、送風ファン２０と、送風ファン２０を駆動するモータ２２と、埃センサ２５と、電装部材２６と、ストリーマ放電ユニット２７（活性種供給装置）と、仕切部材２８とを有している。この送風室２は、空気清浄機１の最も下方に形成されており、空気清浄フィルタ３０に対して空気を送風する。
【００４０】
送風ファン２０は、モータ２２の片側（右側）に取り付けられたダブルシロッコファンであり、左吸込面２０ａと右吸込面２０ｂとを有する。
【００４１】
埃センサ２５は、送風室２に吸い込まれる室内空気に含まれる塵埃量を検出する。埃センサ２５は、左吸込口１１ａとプレフィルタ１１ｂとの間、かつ左吸込口１１ａの上端近傍に配置される。
【００４２】
電装部材２６は、プリント基板などを収容しており、送風ファン２０の上方に配置される。
【００４３】
ストリーマ放電ユニット２７は、放電部を有する活性種発生装置である。ストリーマ放電ユニット２７では、針状電極に高電圧を印加することによりプラズマ放電の一種であるストリーマ放電が発生する。当該放電発生の際に酸化分解力の高い活性種が生成される。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。
【００４４】
仕切部材２８は、送風ファン２０の右吸込面２０ｂと略同一平面上に配置された板状部材であって、送風室２の空間を、左側空間２ａと右側空間２ｂとに仕切る部材である。したがって、図３に示すように、モータ２２、送風ファン２０、埃センサ２５および電装部材２６は、正面から見て送風室２の左側の左側空間２ａに配置される。本発明の電装品には、モータ２２、埃センサ２５および電装部材２６などが含まれる。左吸込口１１ａから左吸込面２０ａまでの距離Ｔ１は、右吸込口１２ａから右吸込面２０ｂまでの距離Ｔ２よりも長い。また、モータ２２と水タンク５３とは左右方向について離れて配置される。
【００４５】
空気清浄機１では、図３の点線矢印で示すように、空気清浄フィルタ３０を通過した空気の一部が、支流としてストリーマ放電ユニット２７に送られる。この支流がストリーマ放電ユニット２７を通過するときに、ストリーマ放電によって発生した活性種が支流に供給される。活性種が供給された支流は、図３の実線矢印で示す空気流（本流）に合流して、天面吹出口１３ａ側に送られる。支流に供給された活性種は、脱臭フィルタ３２にまで到達し、脱臭フィルタ３２での消臭効果が高められる。
【００４６】
図５に示すように、集塵フィルタ３１および脱臭フィルタ３２の側周面は、樹脂製のフィルタカバー３３で覆われている。フィルタカバー３３は、脱臭フィルタ３２の側方に設けられ、かつ右側面パネル１２に対向する開口３４を有する。そして、フィルタカバー３３と右側面パネル１２との間には、開口３４および送風室２に連通したダクト３５が形成されている。図５に示すように、支流としてストリーマ放電ユニット２７に送られる空気は、フィルタカバー３３の開口３４からダクト３５を通って送風室２（詳しくは、右吸込口と、右吸込口を覆うプレフィルタとの間）に戻ったあと、そのプレフィルタの内側に配置されたストリーマ放電ユニット２７を通過する。
【００４７】
図６（ａ）は、本発明の空気清浄機１の送風室２の空気の流れを示す概略図であって、図６（ｂ）は、比較例の空気清浄機の送風室の空気の流れを示す概略図である。図６（ｂ）は、図６（ａ）において仕切部材２８を無くした図である。比較例では、図６（ｂ）に示すように、左吸込口１１ａから左吸込面２０ａまでの距離が、右吸込口１２ａから右吸込面２０ｂまでの距離よりも長いので、右吸込口１２ａから多くの空気が送風室２の吸い込まれるのに対し、左吸込口１１ａから送風室２の吸い込まれる空気量は少ない。前面吸込口１０ａから吸い込まれる空気は、送風ファン２０の左吸込面２０ａと右吸込面２０ｂに分かれて吸い込まれる。したがって、送風ファン２０の左吸込面２０ａには、左吸込面２０ａから吸い込まれる空気と、前面吸込口１０ａから吸い込まれる空気の一部と、右吸込口１２ａから吸い込まれる空気の一部が吸い込まれ、右吸込面２０ｂには、右吸込面２０ｂから吸い込まれる空気と、前面吸込口１０ａから吸い込まれる空気の一部とが吸い込まれる。このように、右吸込口１２ａから吸い込まれる空気の一部が、送風ファン２０を回り込んで左吸込面２０ａから吸い込まれることによって、送風ファン２０の左吸込面２０ａと右吸込面２０ｂには、略同一量の空気が吸い込まれる。よって、比較例において、埃センサが、吸い込まれる空気量が少ない左吸込口１１ａ側に配置される場合、埃センサによって埃の量を適正に検出できない問題がある。
【００４８】
これに対して、本発明では、図６（ａ）に示すように、左吸込口１１ａから左吸込面２０ａまでの距離Ｔ１が、右吸込口１２ａから右吸込面２０ｂまでの距離Ｔ２よりも長いにもかかわらず、仕切部材２８によって、送風室２が左側空間２ａと右側空間２ｂに仕切られているので、左吸込口１１ａから送風室２の吸い込まれる空気量は、比較例より増加し、右吸込口１２ａから吸い込まれる空気量より少し少ない程度となる。前面吸込口１０ａから吸い込まれる空気は、送風ファン２０の左吸込面２０ａに吸い込まれる。したがって、送風ファン２０の左吸込面２０ａには、左吸込面２０ａから吸い込まれる空気と、前面吸込口１０ａから吸い込まれる空気の一部が吸い込まれ、右吸込面２０ｂには、右吸込面２０ｂから吸い込まれる空気が吸い込まれる。このように、右吸込口１２ａから吸い込まれる空気の一部が、送風ファン２０を回り込んで左吸込面２０ａから吸い込まれることなく、送風ファン２０の左吸込面２０ａと右吸込面２０ｂには、略同一量の空気が吸い込まれる。よって、本発明において、埃センサ２５が左側空間２ａに配置されているが、比較例より、左吸込口１１ａから吸い込まれる空気量が多いので、埃センサ２５によって埃の量を適正に検出できる。
【００４９】
＜本実施形態の空気清浄機の特徴＞
本実施形態の空気清浄機１には、以下の特徴がある。
【００５０】
本実施形態の空気清浄機１では、送風室２において、ケーシング１ａの左側面パネル１１の左吸込口１１ａから送風ファン２０の左吸込面２０ａに向かって流れる空気が通過する左側空間２ａと、ケーシング１ａの右側面パネル１２の右吸込口１２ａから送風ファン２０の右吸込面２０ｂに向かって流れる空気が通過する右側空間２ｂとが仕切られているので、ケーシング１ａの左吸込口１１ａおよび右吸込口１２ａからそれぞれ吸い込まれる空気量を略均等にできる。
【００５１】
本実施形態の空気清浄機１では、ケーシング１ａの左吸込口１１ａから送風ファン２０の左吸込面２０ａまでの距離Ｔ１と、ケーシング１ａの右吸込口１２ａから送風ファン２０の右吸込面２０ｂまでの距離Ｔ２とが異なることによって、左右の通風抵抗が異なる場合において、ケーシング１ａの左吸込口１１ａおよび右吸込口１２ａからそれぞれ吸い込まれる空気量を略均等にできる。
【００５２】
本実施形態の空気清浄機１では、ケーシング１ａは、左吸込口１１ａ、右吸込口１２ａだけでなく、ケーシング１ａの前面に配置された前面吸込口１０ａを有しており、前面吸込口１０ａを、左側空間２ａに連通させることによって、左右の通風抵抗を調整できる。
【００５３】
本実施形態の空気清浄機１では、送風室２において、モータ２２や埃センサ２５や電装部品２６が配置された左側空間２ａと、ストリーマ放電ユニット２７が配置された右側空間２ｂとが仕切られており、ストリーマ放電ユニット２７によって発生した活性種が、モータ２２や埃センサ２５や電装部品２６に流れないので、モータ２２や埃センサ２５や電装部品２６が錆びるのを防止できる。
【００５４】
本実施形態の空気清浄機１では、ストリーマ放電ユニット２７に加湿室４を通過する前の空気が供給されるので、ストリーマ放電ユニット２７を通過する空気が、活性種を適正に含むようにできる。
【００５５】
本実施形態の空気清浄機１では、送風室２において送風ファン２０を駆動するモータ２２と、加湿室４に配置された水タンク５２とが左右方向について離れて配置されるので、空気清浄機１のバランスをとることができる。
【００５６】
本実施形態の空気清浄機１では、水タンクが加湿室４の右側面から取出し可能に構成されるので、水タンク２７を加湿室４の右側面から容易に取出すことができる。
【００５７】
本実施形態では、ケーシング１ａの左吸込口１１ａと前面吸込口１０ａが、本発明の第１吸込口であり、ケーシング１ａの右吸込口１２ａが、本発明の第２吸込口であって、送風ファン２０の左吸込面２０ａが、本発明の第１吸込面であり、送風ファン２０の右吸込面２０ｂが、本発明の第２吸込面である。
【００５８】
（第２実施形態）
本発明の第２実施形態にかかる空気清浄機を説明する。
【００５９】
本実施形態にかかる空気清浄機が、第１実施形態にかかる空気清浄機と異なる点は、送風室の構成である。その他の構成は、第１実施形態にかかる空気清浄機と同様であることから、その説明は省略する。
【００６０】
第１実施形態にかかる空気清浄機では、正面視において、送風ファン２０が右側に配置され、モータ２２が左側に配置されるのに対し、本実施形態にかかる空気清浄機では、図７、図８に示すように、送風ファン１２０が正面側に配置され、モータ１２２が背面側に配置されている。
【００６１】
また、第１実施形態にかかる空気清浄機では、左吸込口１１ａ、右吸込口１２ａ、前面吸込口１０ａを有するのに対し、本実施形態にかかる空気清浄機では、図８に示すように、正面吸込口１１０ａ、左吸込口１１１ａ、右吸込口１１２ａ、背面吸込口１１３ａを有している。このように、送風室１０２は、平面視で矩形状であって、正面吸込口１１０ａと背面吸込口１１３ａは、それぞれ、送風室１０２の周囲において対向する面に形成される。したがって、背面吸込口１１３ａが、送風室１０２の周囲において、正面吸込口１１０ａが形成された面と対向する面に形成された吸込口を有している。ファン１２０の前面吸込面１２０ａが前面吸込口１１０ａと対向するように配置され、背面吸込面１２０ｂが背面吸込口１１３ａと対向するように配置される。このとき、背面吸込口１１３ａから背面吸込面１２０ｂまでの距離は、正面吸込口１１０ａから正面吸込面１２０ａまでの距離より長い。ケーシング１の天面パネル１３は、天面吹出口１３ａを有する。天面吹出口１３ａは、天面パネル１３の略全域に設けられている。
【００６２】
本実施形態の空気清浄機１０１は、送風室１０２、空気清浄室３、加湿室４を有している。送風室１０２には、送風ファン１２０と、送風ファン１２０を駆動するモータ１２２と、埃センサと、電装部材と、ストリーマ放電ユニット（活性種供給装置）と、仕切部材１２８とを有している。埃センサと電装部材とストリーマ放電ユニット（活性種供給装置）の説明は省略するが、第１実施形態の空気清浄機１と同一である。この送風室１０２は、空気清浄機１０１の最も下方に形成されており、空気清浄フィルタに対して空気を送風する。
【００６３】
送風室１０２は、図８に示すように、左吸込口１１１ａ、右吸込口１１２ａ、正面吸込口１１０ａ、背面吸込口１１３ａを有している。ファン１２０は、正面吸込面１２０ａと背面吸込面１２０ｂとを有する。
【００６４】
仕切部材１２８は、送風ファン１２０の正面吸込面１２０ａと略同一平面上に配置された板状部材であって、送風室１０２の空間を、正面側空間１０２ａと背面側空間１０２ｂとに仕切る部材である。したがって、図８に示すように、モータ１２２、送風ファン１２０、図示しない埃センサおよび電装部材は、送風室１０２の背面側の背面側空間１０２ａに配置される。本発明の電装品には、モータ１２２、埃センサおよび電装部材などが含まれる。
【００６５】
本実施形態では、図８に示すように、仕切部材１２８によって、送風室１０２が正面側空間１０２ａと背面側空間１０２ｂに仕切られているので、正面吸込口１１０ａから吸い込まれる空気は、送風ファン１２０の正面吸込面１２０ａに吸い込まれ、左吸込口１１１ａ、右吸込口１１２ａ、背面吸込口１１３ａから吸い込まれる空気は、送風ファン１２０の背面吸込面１２０ｂに吸い込まれる。したがって、送風室１０２の正面側空間１０２ａに吸い込まれる空気量と、背面側空間１０２ｂに吸い込まれる空気量とが略均等になる。よって、本発明において、埃センサが背面側空間１０２ｂに配置されているが、埃センサによって埃の量を適正に検出できる。
【００６６】
＜本実施形態の空気清浄機の特徴＞
本実施形態の空気清浄機１０１には、以下の特徴がある。
【００６７】
本実施形態の空気清浄機１０１では、送風室１０２において、ケーシングの正面吸込口１１０ａから送風ファン１２０の正面吸込面１２０ａに向かって流れる空気が通過する正面側空間１０２ａと、ケーシングの左吸込口１１１ａ、右吸込口１１２ａ、背面吸込口１１３ａから送風ファン１２０の背面吸込面１２０ｂに向かって流れる空気が通過する背面側空間１０２ｂとが仕切られているので、送風室１０２の正面側空間１０２ａに吸い込まれる空気量と、背面側空間１０２ｂに吸い込まれる空気量とが略均等にできる。
【００６８】
本実施形態では、ケーシングの正面吸込口１１０ａが、本発明の第１吸込口であり、ケーシングの左吸込口１１１ａ、右吸込口１１２ａ、背面吸込口１１３ａが、本発明の第２吸込口であって、送風ファン１２０の正面吸込面１２０ａが、本発明の第１吸込面であり、送風ファン１２０の背面吸込面１２０ｂが、本発明の第２吸込面である。
【００６９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７０】
上述の第１実施形態では、送風室２において、左側空間２ａと右側空間２ｂとが完全に仕切られている場合について説明したが、左側空間２ａと右側空間２ｂとが大部分において仕切られている場合、本発明の効果が得られる。したがって、例えば、図９に示すように、仕切部材２８において送風ファン２０より下方に配置される部分に、開口２８ａが形成されたものであってよい。この場合、右側空間２ｂから左側空間２ａに空気が流れるので、ストリーマ放電ユニット２７を通過した空気の一部が、右側空間２ｂの下端にたまるのを防止できる。
【００７１】
上述の第１実施形態では、正面視において、左吸込口１１ａから左吸込面２０ａまでの距離と、右吸込口１２ａから右吸込面２０ｂまでの距離とが異なることによって、左右の通風抵抗が異なる場合について説明したが、左吸込口１１ａから左吸込面２０ａまでの距離と、右吸込口１２ａから右吸込面２０ｂまでの距離とが同一であってよいし、左吸込口１１ａから左吸込面２０ａまでの距離と、右吸込口１２ａから右吸込面２０ｂまでの距離とが同一であって且つその他の構成（例えば、左吸込口１１ａと右吸込口１２ａの大きさの異なることなど）によって、左右の通風抵抗が異なるものであってよい。
【００７２】
上述の第１実施形態では、ケーシング１ａが、その前面に配置された前面吸込口１０ａを有する場合について説明したが、ケーシング１ａは、その前面に配置された前面吸込口１０ａを有しないものであってよい。
【００７３】
上述の第１および第２実施形態では、空気清浄機が、送風室と空気清浄室と加湿室を有しており、加湿機能と空気清浄機能とを有する場合について説明したが、空気清浄機が、送風室と空気清浄室を有しており、空気清浄機能とを有する（加湿機能を有しない）ものであってよい。
【産業上の利用可能性】
【００７４】
本発明を利用すれば、送風室におけるファンの第１吸込面側の空間と第２吸込面側の空間にそれぞれ吸い込まれる空気量を略均等にできる。
【符号の説明】
【００７５】
１  空気清浄機
１ａ  ケーシング
２  送風室
２ａ  左側空間（第１空間）
２ｂ  右側空間（第２空間）
４  加湿室
１０ａ  前面吸込口（第１吸込口）
１１ａ  左吸込口（第１吸込口）
１２ａ  右吸込口（第２吸込口）
２０  送風ファン
２０ａ  左吸込面（第１吸込面）
２０ｂ  右吸込面（第２吸込面）
２２  モータ（電装品）
２５  埃センサ（電装品）
２６  電装部品（電装品）
２７  ストリーマ放電ユニット（活性種発生装置）
２８  仕切部材
３０  空気清浄フィルタ
５３  水タンク
１０１  空気清浄機
１０２  送風室
１０２ａ  正面側空間（第１空間）
１０２ｂ  背面側空間（第２空間）
１１０ａ  前面吸込口（第１吸込口）
１１１ａ  左吸込口（第２吸込口）
１１２ａ  右吸込口（第２吸込口）
１１３ａ  背面吸込口（第２吸込口）
１２０  送風ファン
１２０ａ  正面吸込面（第１吸込面）
１２０ｂ  背面吸込面（第２吸込面）
１２８  仕切部材
【図１】
0006048545.tif 000002
【図２】
0006048545.tif 000003
【図３】
0006048545.tif 000004
【図４】
0006048545.tif 000005
【図５】
0006048545.tif 000006
【図６】
0006048545.tif 000007
【図７】
0006048545.tif 000008
【図８】
0006048545.tif 000009
【図９】
0006048545.tif 000010